(57)【要約】【課題】既に削除されていると推定されるコンテンツは、検索や閲覧時の処理結果から除外し、削除したコンテンツを再登録の処理なく復帰させる。【解決手段】メディアを識別するメディア識別工程と、メディア内のコンテンツリストを、以前の同一メディア内に保存されていたコンテンツリストと比較するコンテンツ比較工程と、コンテンツ及びそのコンテンツが保存されているメディアの情報を格納するコンテンツ格納工程と、コンテンツ比較工程において以前と状態が異なるコンテンツの状態を記録するコンテンツ状態格納工程とを備える。【選択図】図５
2010049777.tif 000002
【特許請求の範囲】
【請求項１】
機器に挿入されているメディアを識別するメディア識別工程と、
前記機器に挿入されているメディア内のコンテンツリストを、以前の同一メディア内に保存されていたコンテンツリストと比較するコンテンツ比較工程と、
コンテンツ及びそのコンテンツが保存されているメディアの情報を格納するコンテンツ格納工程と、
前記コンテンツ格納工程に格納されているコンテンツの内、前記コンテンツ比較工程において以前と状態が異なるコンテンツの状態を記録するコンテンツ状態格納工程とを備えることを特徴とするコンテンツ管理方法。
【請求項２】
前記コンテンツ状態格納工程は、前記コンテンツ比較工程において、他のメディアに保存されているコンテンツをオフライン状態として管理することを特徴とする請求項１記載のコンテンツ管理方法。
【請求項３】
前記コンテンツ状態格納工程は前記コンテンツ比較工程において、以前は存在していたが現在は存在しないコンテンツを仮削除状態として管理することを特徴とする請求項１記載のコンテンツ管理方法。
【請求項４】
前記仮削除状態のコンテンツがメディア内に記録されていることを検知すると、該仮削除状態を解除することを特徴とする請求項３記載のコンテンツ管理方法。
【請求項５】
機器に挿入されているメディアを識別するメディア識別手段と、
前記機器に挿入されているメディア内のコンテンツリストを、以前の同一メディア内に保存されていたコンテンツリストと比較するコンテンツ比較手段と、
コンテンツ及びそのコンテンツが保存されているメディアの情報を格納するコンテンツ格納手段と、
前記コンテンツ格納手段に格納されているコンテンツの内、前記コンテンツ比較手段において以前と状態が異なるコンテンツの状態を記録するコンテンツ状態格納手段とを備えることを特徴とするコンテンツ管理装置。
【請求項６】
請求項１記載のコンテンツ管理方法の各工程をコンピュータにて実施させるプログラム。
【発明の詳細な説明】
【技術分野】
【０００１】
本発明は、可搬機器や可搬メディア等に記録されたコンテンツの状態を判別する方法及び装置に関する。
【背景技術】
【０００２】
従来、CD-ROM等の記録メディアに記録されているビデオ情報やオーディオ情報などのコンテンツ情報を記録、管理する方法としては、コンテンツ情報と合せてコンテンツの所在情報を管理する方法があった（例えば、特許文献１参照）。この方法では、所在情報を用いることにより、しばしば保管場所が不明になり易い可搬メディア内のコンテンツの管理を容易にすることが可能である。
【０００３】
【特許文献１】特開２００２−２３７１６９号公報
【発明の開示】
【発明が解決しようとする課題】
【０００４】
しかしながら、可搬メディアをネットワーク接続機器から取り出している間に、当該可搬メディア内に存在するコンテンツの削除が行われると、コンテンツ情報を管理する機器ではその情報を知り得ない。そのため、既に可搬メディア内には存在しないコンテンツにも関わらず、存在しているものとして扱ってしまう。これにより、利用者が可搬メディア内のコンテンツの検索や閲覧等の処理を行ったときに、存在するコンテンツとして、削除されたコンテンツが利用者に対して提示されるという問題があった。
【０００５】
上記問題の解決策としては、既に存在していないコンテンツは管理せずに、コンテンツ関連情報を即座に管理機器から削除することが考えられる。しかし、この方法ではコンテンツが当該可搬メディアから別のメディアに移動もしくは一時的に退避された場合にも、管理機器ではコンテンツが削除されたのか、移動されたのかという区別がつかないため削除されてしまう。そのため、コンテンツの移動時にも、移動処理であったことが判明した時点で、管理機器に対して当該コンテンツを再登録するという処理が発生する。
【０００６】
この場合、コンテンツ情報等のメタデータも一度削除されているため、再度メタデータの登録を行わなければならず、非常に手間がかかるという問題があった。
【０００７】
そこで、本発明は可搬メディア内のコンテンツの状態を判別し、既に削除されていると推定されるコンテンツは、検索や閲覧時の処理結果から除外することを可能とする。
また、削除したコンテンツを再登録の処理なく復帰させることを可能とするコンテンツ管理方法を提供することを目的とする。
【課題を解決するための手段】
【０００８】
本発明はかかる問題に鑑みてなされたものであり、機器に挿入されているメディアを識別するメディア識別工程と、前記機器に挿入されているメディア内のコンテンツリストを、以前の同一メディア内に保存されていたコンテンツリストと比較するコンテンツ比較工程と、コンテンツ及びそのコンテンツが保存されているメディアの情報を格納するコンテンツ格納工程と、前記コンテンツ格納工程に格納されているコンテンツの内、前記コンテンツ比較工程において以前と状態が異なるコンテンツの状態を記録するコンテンツ状態格納工程とを備えることを特徴とするコンテンツ管理方法等、を提供する。
【発明の効果】
【０００９】
本発明では、可搬メディア内のコンテンツの状態を判別することにより、既に削除されていると推定されるコンテンツを検索や閲覧時の処理結果から除外する。これにより、不要な情報の提示による利用者の操作性の悪化を防ぐことが可能となる。
また、既に削除されていると推定されたコンテンツが再度登録された場合、もしくは別の可搬メディア等に移動されていた場合には、当該コンテンツの再登録処理なく、復帰させることを可能とする。
【発明を実施するための最良の形態】
【００１０】
以下、図を参照しながら本発明のコンテンツ管理方法及びコンテンツ管理装置の実施形態を説明する。
＜第１の実施形態＞
図１は、本発明を実施するコンテンツ管理装置の１つの形態であるアダプタ１００の機能的構成を示す図である。
本実施形態では、アダプタはデジタルカメラをローカルネットワークに接続させると共に、メタデータをもとにデジタルカメラ内に格納されるコンテンツの移動や削除を含めた管理を行う。図において、１０１は機器に挿入されているメディアを識別するメディア識別部である。メディアにはメーカーで定められたID等の識別子が付与されているものとする。
【００１１】
１０３はコンテンツ関連情報を格納するコンテンツ格納部である。コンテンツ関連情報とは、コンテンツIDやコンテンツの名称、サイズ等のコンテンツ自体の情報、及びコンテンツが保存されているメディアに関する情報等のことである。
１０４はコンテンツ格納部１０３に格納されているコンテンツの内、コンテンツ比較部１０２における比較の結果、以前と状態が異なると判定されたコンテンツの状態を記録するコンテンツ状態格納部である。
【００１２】
図２は、本発明を実施するコンテンツ管理装置のハードウェア構成例を示すブロック図である。図２において、２０１は所定の処理シーケンスに従ったプログラムにより、コンピュータ装置２００全体を制御する中央処理装置である。２０２は中央処理装置のワークエリアとして利用される主記憶装置である。２０３はネットワークに接続するための通信部である。２０４は検索時に検索条件等を入力する入力装置である。２０５は検索結果等を表示する表示装置である。２０６はコンテンツ格納部１０３やコンテンツ状態格納部１０４に格納される情報を記録する外部記憶装置である。
【００１３】
図３は、メディア識別部１０１で管理するデータの例である。３０１はメディアの識別IDである。１０２は機器に挿入されているメディア内のコンテンツリストを、以前のメディア内に保存されていたコンテンツリストと比較するコンテンツ比較部である。コンテンツ比較部１０２ではコンテンツ格納部１０３に格納されているデータの内、コンテンツを一意に限定できるデータを比較対象として用いる。本実施形態では、コンテンツIDを用いた比較を行うものとする。なお、コンテンツIDは各機器において一意に自動的に割り振られるものとする。
【００１４】
図４は、コンテンツ比較部１０２で比較時に用いるデータの例である。４０１は以前の同一メディア内に記録されていたコンテンツのIDである。４０２は現在メディア内に記録されているコンテンツのIDである。図４では、ID00003のコンテンツがなくなっており、ID00009のコンテンツが追加されたことを表している。
【００１５】
図５は、コンテンツ格納部１０３で管理するデータの例である。５０１はコンテンツID、５０２はファイル名、５０３はコンテンツサイズ、５０４はメディアIDを表している。
【００１６】
図６は、コンテンツ状態格納部１０４で管理するデータの例である。６０１はコンテンツID、６０２は状態を示す。“new"は、新たに追加されたコンテンツを表す。“new"状態は当該可搬メディアについてコンテンツ比較部１０２による比較が次に実行されるまで維持される。
【００１７】
“tentative delete"は、以前からなくなっている仮削除状態のコンテンツを表す。この時点では、当該コンテンツが正式に削除されたかどうかを判定できないため、「仮削除コンテンツ」として扱う。「仮削除コンテンツ」として扱うことにより、例えば当該コンテンツが他の可搬メディアに移動されていた場合には、関連情報のメタデータを再度登録することなく当該コンテンツを復帰させることが可能となる。また、“off line"は、オフラインを表す。
【００１８】
図１０は、本発明を実施するコンテンツ管理装置の１つの形態であるアダプタを適用するネットワークシステムの構成例を示す図である。１００１はデジタルカメラ、１００２はアダプタ、１００３はPCである。
アダプタ１００２とPC１００３はIPプロトコルに従うローカルネットワークにより接続されている。アダプタ１００２は、前述の中央処理装置２０１〜通信部２０３及び外部記憶装置２０６を備え、PC１００３は、主記憶装置２０２〜表示装置２０５を備える。
【００１９】
図７は、本発明の実施形態を示す概念図である。アダプタ７０１、デジタルカメラ７０２、CF（コンパクトフラッシュ（登録商標））-A７０３、CF-B７０４が存在し、CF-A７０３及びCF-B７０４はデジカメ７０２に挿入して使用する。アダプタ７０１では、存在する全てのメディア内に含まれるコンテンツを、コンテンツ名やメディアIDといったメタデータをもとに管理するものとする。
【００２０】
現在、CF-B７０４がデジタルカメラ７０２に挿入されており、CF-B７０４内のコンテンツ情報はアダプタ７０１に記録されている。また、それ以前にCF-A７０３も挿入されており、その時にCF-A７０３内のコンテンツ情報もアダプタ７０１に記録されているものとする。ここからCF-B７０４を取り出し、再度CF-A７０３を挿入した状態を図８に、また、その時に実行される処理のフローを図９に示す。
【００２１】
先ず、メディア識別部１０１において、図３に示すメディア識別IDリストにより、挿入されたメディアを識別する（ステップＳ９０１）。
リスト内に該当するメディアが管理されていない場合は新規にリストに追加し（ステップＳ９０３）、当該メディア内のコンテンツをコンテンツ格納部１０３に格納する（ステップＳ９０７）。この実施形態では、CF-A８０３が挿入されているため、ID：1000001が該当する。次にコンテンツ比較部１０２において、CF-A８０３内のコンテンツの状態を以前と比較する（ステップＳ９０４）。
【００２２】
ここで、比較には図４に示すコンテンツID比較リストを用いる。比較の結果、画像00003がなくなっており、画像00009が新たに追加されていることが確認される。比較結果をコンテンツ状態部１０４で管理しているコンテンツ状態リストに図６のように記録する（ステップＳ９０６）。なくなっている画像00003は削除されたためなくなっているのか、他の可搬メディアに移動されたためなくなっているのか判断できないため、「仮削除コンテンツ」として管理される。
【００２３】
また、CF-B８０４に格納されているコンテンツは、現在挿入されていない。このため参照することができない（アダプタ８０１は全てのコンテンツの管理を行うが、コンテンツ自体は扱わずメタデータをもとにした管理を行うため、コンテンツ参照はできない）。そこで、オフライン状態のコンテンツと判定され管理される。
【００２４】
以上のように、可搬メディア内のコンテンツを以下の２種類に判別する。
可搬機器がネットワーク未接続及び機器に挿入されている可搬メディアが異なる場合は、未接続の可搬機器及び挿入されていない可搬メディアに含まれるコンテンツを「オフラインコンテンツ」と判別する。同一の可搬機器・可搬メディア内のコンテンツがなくなっている場合は、そのコンテンツを「仮削除コンテンツ」と判別する。
【００２５】
「仮削除コンテンツ」は、データ本体を扱えない状態であるため、検索や閲覧等の処理結果には含めない。これにより、利用者に対して不要な情報を提示することを防ぐことが可能となる。
また、「仮削除コンテンツ」としていたコンテンツが、再度登録された場合、もしくは別のメディアに移動されていた場合には、それを検知した時点で「仮削除」状態を解除する。事前に「仮削除コンテンツ」保持時間を定めておき、それを超えた場合には、当該コンテンツに関する情報を削除するようにしても良い。
【００２６】
＜第２の実施形態＞
次に、本発明を実施する第２の実施形態において、その基本的な構成は第１の実施形態に準じる。ただし、メディア判定部１０１における可搬メディアの識別に、ID等の識別子を用いない点が異なる。
【００２７】
可搬メディアの識別には、メディア内のコンテンツを比較し同一のコンテンツがどの程度含まれているかをチェックし、予め定められた閾値よりも一致率が高い場合には同一メディアであると判定する。
【００２８】
＜第３の実施形態＞
本発明を実施する第３の実施形態において、その基本的な構成は第１の実施形態に準じる。ただし、構成機器がアダプタとデジタルカメラ、CFではなく、アダプタとDVDレコーダー、DVDメディアである点が異なる。
【００２９】
DVDレコーダー内（DVDメディア内）に格納されているコンテンツの関連情報をアダプタで管理することで第１の実施形態と同様の機能を提供する。
なお、DVDレコーダーが、第１の実施形態におけるアダプタの機能であるネットワーク接続機能やコンテンツ管理機能等を有している場合、アダプタは構成に含まれていなくても構わない。また、これ以外の機器の組み合わせに関しても、本発明を実施することが可能なことは明らかである。
【図面の簡単な説明】
【００３０】
【図１】本発明を実施するコンテンツ状態判別装置の機能的構成を示す図である。
【図２】本発明を実施するコンテンツ状態判別装置のハードウェア構成を示すブロック図である。
【図３】本発明に係るメディアの識別IDリスト示す図である。
【図４】本発明に係るコンテンツID比較リストを示す図である。
【図５】本発明に係るコンテンツ関連情報リストを示す図である。
【図６】本発明に係るコンテンツ状態リストを示す図である。
【図７】本発明の第１の実施形態を示す第１の図である。
【図８】本発明の第１の実施形態を示す第２の図である。
【図９】本発明の第１の実施形態における処理フローを示す図である。
【図１０】本発明を実施するコンテンツ管理装置の１つの形態であるアダプタを適用するネットワークシステムの構成例を示す図である。
【符号の説明】
【００３１】
１０１  メディア識別部
１０２  コンテンツ比較部
１０３  コンテンツ格納部
１０４  コンテンツ状態格納部
【図１】
2010049777.tif 000003
【図２】
2010049777.tif 000004
【図３】
2010049777.tif 000005
【図４】
2010049777.tif 000006
【図５】
2010049777.tif 000007
【図６】
2010049777.tif 000008
【図７】
2010049777.tif 000009
【図８】
2010049777.tif 000010
【図９】
2010049777.tif 000011
【図１０】
2010049777.tif 000012